(57)【要約】【課題】ブラインドの回転軸を駆動する駆動ギアのフレームへの固定を簡単に行うことができるブラインドの駆動装置を提供する。【解決手段】回転軸２４を回転可能な第１歯車６２と第２歯車６４がホルダ６６に軸支され、ホルダ６６に形成される開口部６６ｄ、６６ｅにフレーム２２に固定される支持金具４４が挿入されることにより、ホルダ６６のフレーム２２に対する上下前後方向あるいは左右前後方向の移動が規制される。【選択図】図２
2014037698.tif 000002
【特許請求の範囲】
【請求項１】
四方枠を形成するフレーム（２２）のうち上枠（２２ａ）内に回転可能に支持される回転軸（２４）と、多数のスラット（１８）を整列状態に支持するとともに回転軸の回転に連動して傾動する複数のラダーテープ（２８）と、回転軸を回転可能な駆動ギア（６２ｂ、６４ｂ）と、を有するブラインドの駆動装置において、
駆動ギアはホルダ（６６）に内蔵されており、ホルダ（６６）に形成される開口部（６６ｄ、６６ｅ）にフレーム（２２）に固定される支持金具（４４）が挿入されることにより、ホルダ（６６）のフレーム（２２）に対する上下前後方向あるいは左右前後方向の移動が規制されることを特徴とするブラインドの駆動装置。
【請求項２】
前記支持金具（４４）は水平方向あるいは鉛直方向に延びており、支持金具（４４）が開口部（６６ｄ、６６ｅ）を水平方向あるいは鉛直方向に貫通していることを特徴とする請求項１記載のブラインドの駆動装置。
【請求項３】
ホルダ（６６）の外面に溝部（６６ｇ）が形成されており、ホルダ（６６）の溝部（６６ｇ）に対応するフレーム（２２）の位置にリブ（２２ｅ）が形成されており、ホルダ（６６）の溝部（６６ｇ）にフレーム（２２）のリブ（２２ｅ）を挿入することにより、ホルダ（６６）の左右方向あるいは上下方向の移動が規制されることを特徴とする請求項１または２記載のブラインドの駆動装置。
【請求項４】
支持金具（４４）は、フレーム（２２）の上枠（２２ａ）と縦枠（２２ｃ）とを連結するためのものであることを特徴とする請求項１ないし３のいずれか１項に記載のブラインドの駆動装置。
【発明の詳細な説明】
【技術分野】
【０００１】
本発明は、複層ガラス内に設けられたブラインドの駆動装置に関する。
【背景技術】
【０００２】
このようなブラインドの駆動装置としては、特許文献１に示されるものが知られている。これに示されるものは、二重ガラス窓の上枠に取付けられたヘッドボックスと、ヘッドボックスに軸受けされてスラットを回動させる回転軸と、二重ガラス窓の縦枠に設けられた垂直軸と、垂直軸の回転を回転軸に伝達する回転伝達機構を備え、回転伝達機構は、ギアケースに軸受けされるとともに回転軸の端部に固定されるベベルギアと、ギアケースに軸受けされるとともに垂直軸の端部に固定されるベベルギアと、から構成されており、垂直軸に送りねじが設けられ、送りねじにスライダがねじ嵌合され、縦枠にスライダの回転と昇降範囲を規制する案内部材が設けられている。
【０００３】
これにより、スライダを昇降させると送りねじが垂直軸とともに回転し、回転伝達機構を介して回転軸に伝えられ、スラットの傾斜角度が変化するようになっている。
【先行技術文献】
【特許文献】
【０００４】
【特許文献１】実開昭６３−１６７５９６公報
【発明の概要】
【発明が解決しようとする課題】
【０００５】
しかしながら、上記特許文献１の回転伝達機構のギアケースは、上枠と縦枠との連結部に配されているものの、その固定方法は不明であり、具体的に実現するには困難な構造になっている。
【０００６】
本発明はかかる課題に鑑みなされたもので、ブラインドの回転軸を駆動する駆動ギアのフレームへの固定を簡単に行うことができるブラインドの駆動装置を提供することをその目的とする。
【課題を解決するための手段】
【０００７】
前述した目的を達成するために、請求項１記載の発明は、四方枠を形成するフレームのうち上枠内に回転可能に支持される回転軸と、多数のスラットを整列状態に支持するとともに回転軸の回転に連動して傾動する複数のラダーテープと、回転軸を回転可能な駆動ギアと、を有するブラインドの駆動装置において、
駆動ギアはホルダに内蔵されており、ホルダに形成される開口部にフレームに固定される支持金具が挿入されることにより、ホルダのフレームに対する上下前後方向あるいは左右前後方向の移動が規制されることを特徴とする。
【０００８】
請求項２記載の発明は、請求項１記載の発明において、支持金具は水平方向あるいは鉛直方向に延びており、支持金具が開口部を水平方向あるいは鉛直方向に貫通していることを特徴とする。
【０００９】
請求項３記載の発明は、請求項１または２記載の発明において、ホルダの外面に溝部が形成されており、ホルダの溝部に対応するフレームの位置にリブが形成されており、ホルダの溝部にフレームのリブを挿入することにより、ホルダの左右方向あるいは上下方向の移動が規制されることを特徴とする。
【００１０】
請求項４記載の発明は、請求項１ないし３のいずれか１項に記載の発明において、支持金具は、フレームの上枠と縦枠とを連結するためのものであることを特徴とする。
【発明の効果】
【００１１】
本発明によれば、駆動ギアを内蔵するホルダの開口部に、フレームに固定された支持金具を挿入することでホルダの上下前後方向あるいは左右前後方向の位置決めを行うので、ホルダ及び駆動ギアのフレームへの固定を簡単に行うことができる。
【００１２】
また、ホルダの溝部にフレームのリブを挿入することで、ホルダの左右方向あるいは上下方向の位置決めを行うことができるので、ホルダ及び駆動ギアのフレームへの固定をさらに簡単に行うことができる。
【図面の簡単な説明】
【００１３】
【図１】本発明の駆動装置を適用した複層ガラス内蔵ブラインドの正面図である。
【図２】駆動機構近傍のフレームの内部の正面図である。
【図３】駆動機構近傍の平面図である。
【図４】駆動機構のホルダと取付金具の分解斜視図である。
【図５】駆動機構のホルダに取付金具を挿入した状態を示す斜視図である。
【図６】駆動機構近傍の断面図である。
【発明を実施するための形態】
【００１４】
図面に基づいて本発明の実施の形態を説明する。
図１に示すように、複層ガラス１０は、方形枠状に上下左右のスペーサ１４を連結し、このスペーサ１４の前後面を２枚のガラス板１２で挟んで構成され、ガラス板１２で挟まれた内部空間１６を画成しており、この内部空間１６内に多数のスラット１８を有するブラインド２０が配設される。
【００１５】
このブラインド２０の駆動装置は、上枠２２ａ、下枠２２ｂ及び一対の縦枠２２ｃからなるフレーム２２と、上枠２２ａ内で水平方向に延び回転可能に支持された回転軸２４と、回転軸２４上に回転軸２４と一体に回転可能に設けられた複数の回転ドラム２５と、回転ドラム２５に上端が連結されて多数のスラット１８を整列状態に支持するとともに回転ドラム２５の回転に従動して傾動する複数のラダーテープ２８と、一方の縦枠２２ｃの上部に設けられ回転軸２４に回転を伝達する駆動機構６０と、外部から駆動機構６０の駆動を操作可能な操作装置３０と、から構成される。尚、２９は、スラット列１８の下方に配置されてラダーテープ２８の下端が連結されたボトムレールである。
【００１６】
フレーム２２の上枠２２ａ、下枠２２ｂ及び両縦枠２２ｃは、互いに直交して隣り合う枠同士を金属製のＬ字状の支持金具４４を介してネジ５０で連結することにより、互いに連結され、フレーム２２を構成する。各枠２２ａ、２２ｂ、２２ｃの両端部にはネジ５０のネジ軸５０ａが挿通する挿通孔２２ｄが２か所ずつ形成されている（図６参照）。また、一方の縦枠２２ｃ内には、図２及び図３に示すように、後述するホルダ６６の溝部６６ｇに挿入可能なリブ２２ｅが形成されている。
【００１７】
支持金具４４の水平方向に延びる水平片４４ａと、垂直方向に延びる垂直片４４ｂとには、各枠２２ａ、２２ｂ、２２ｃの挿通孔２２ｄと対応する位置にネジ５０のネジ軸５０ａが螺合するネジ孔４４ｃが形成されている。
【００１８】
操作装置３０は、一方の縦枠２２ｃの内外に設けられており、一方の縦枠２２ｃ上のガラス板１２面上に移動可能に配設された操作部３２と、一方の縦枠２２ｃ内にあって操作部３２に従動する従動部３４と、従動部３４と駆動機構６０とに連結される伝達軸３６と、操作部３２をガラス面１２上で摺動自在に支持するガイド部３８と、から構成される。
【００１９】
ガイド部３８は、一方の縦枠２２ｃ上のガラス板１２上に両面テープ等の固定手段で上下方向に延びるように固定されており、操作部３２は、ガイド部３８に脱落が防止されて上下方向に摺動可能に係合している。操作部３２と従動部３４は、縦枠２２ｃ及びガラス板１２を介して、磁力により吸着されている。伝達軸３６は、一方の縦枠２２ｃ内で鉛直方向に延び、回転可能に且つ上下に移動不能に支持されて、その外周面には螺旋溝が形成されて、従動部３４のネジ孔と螺合している。
【００２０】
駆動機構６０は、図４〜６に示すように、第１歯車６２と、第１歯車６２に噛み合う第２歯車６４と、第１歯車６２及び第２歯車６４を支持するホルダ６６とを有する。第１歯車６２の軸部６２ａ内には伝達軸３６の上端が相対回転不能に挿入されており、第２歯車６４の軸部６４ａ内には回転軸２４の一端が相対回転不能に挿入されている。第１歯車６２及び第２歯車６４は、互いに噛み合うベベルギアを構成する歯車部６２ｂ及び６４ｂを有している。
【００２１】
ホルダ６６は、互いに相補的に嵌合しプラスチック等からなる成形品であるホルダ部品６６Ａ及び６６Ｂとから構成され、その底部に設けられた軸受孔６６ａに第１歯車６２の軸部６２ａが、一方の側壁に設けられた軸受孔６６ｂに第２歯車６４の軸部６４ａが挿通しており、第１歯車６２及び第２歯車６４を回転自在に軸受けしている。そして、ホルダ６６内には、第１歯車６２及び第２歯車６４の歯車部６２ｂ及び歯車部６４ｂ（駆動ギア）が配設される。
【００２２】
図４及び図５に示すように、ホルダ６６の一方の側壁と対向する他方の側壁６６ｃには第１開口部６６ｄ及び第２開口部６６ｅがそれぞれ形成される。第１開口部６６ｄと第２開口部６６ｅは、それらの少なくとも一部が、同一の高さ位置で水平方向に対向しており、図６に示すように、第１開口部６６ｄ及び第２開口部６６ｅの上端とホルダ６６の天井面６６ｆとは面一に設定されている。第１開口部６６ｄ及び第２開口部６６ｅの少なくとも一方は、支持金具４４の水平片４４ａの断面形状に合致した形状となっている。また、ホルダ６６の前後外面には、縦枠２２ｃ内に形成されたリブ２２ｅ（図３参照）に嵌合する溝部６６ｇがそれぞれ形成されている。
【００２３】
ここで、駆動機構６０の組み付けの手順について説明する。
【００２４】
まず、ホルダ６６のホルダ部品６６Ａ，６６Ｂを分解した状態で、第１歯車６２及び第２歯車６４をホルダ６６に組み付けて、ホルダ部品６６Ａ、６６Ｂを嵌合した後、図４に示すように、ホルダ６６の各開口部６６ｄ、６６ｅと支持金具４４の水平片４４ａの位置を合わせ、図５に示すように、支持金具４４の鉛直方向に延びる鉛直片４４ｂがホルダ６６の他方の側壁６６ｃの外側の面に当接する位置まで、支持金具４４の水平片４４ａをホルダ６６の第２開口部６６ｅ、第１開口部６６ｄの順に挿入させて、ホルダ６６を貫通させる。貫通された状態では、第１開口部６６ｄ及び第２開口部６６ｅの少なくとも一方が、支持金具４４の水平片４４ａと嵌合し、または、支持金具４４の水平片４４ａはホルダ６６の天井面６６ｆに接触しており、ホルダ６６の水平片４４ａに対する上下及び前後方向の移動が規制される。
【００２５】
また、第１歯車６２の軸部６２ａ及び第２歯車６４の軸部６４ａには、それぞれ伝達軸３６の上端及び回転軸２４の一端を挿入する。
【００２６】
次に、支持金具４４と共にホルダ６６を縦枠２２ｃ内に挿入し、このとき、ホルダ６６の溝部６６ｇに縦枠２２ｃのリブ２２ｅをそれぞれ挿入させて、縦枠２２ｃ内に配置する。これにより、ホルダ６６の縦枠２２ｃに対する左右方向への移動が規制される。
【００２７】
次に、上枠２２ａと縦枠２２ｃを互いに直交する方向に組み合わせるとともに、上枠２２ａの内板の内側に支持金具４４の水平片４４ａを、縦枠２２ｃの内板の内側に支持金具４４の鉛直片４４ｂをそれぞれ当接させて、支持金具４４のそれぞれのネジ孔４４ｃの位置と上枠２２ａ及び縦枠２２ｃの挿通孔２２ｄの位置とを一致させ、外部からネジ５０を締結する。これにより、上枠２２ａと縦枠２２ｃを支持金具４４で組み付けると同時にホルダ６６を縦枠２２ｃ内で上下・前後・左右方向に固定することができる。
【００２８】
このように、フレーム２２の上枠２２ａと縦枠２２ｃの組み付け作業を利用して駆動機構６０を固定することができるので、固定作業を簡単に且つ効率化することができる。
【００２９】
また、ホルダ６６は、支持金具４４の水平片４４ａによってフレーム２２に対する上下及び前後方向の移動が規制されるとともに、縦枠２２ｃのリブ２２ｅによってフレーム２２に対する左右方向の移動が規制されるため、ホルダ６６自体をネジ止めすることなく、縦枠２２ｃ内に固定することができ、固定作業をより簡単に且つ効率化することができる。
【００３０】
但し、左右方向の規制に関してはリブ２２ｅによって行う代わりに、例えば、フレーム２２の一対の板間（例えば縦枠２２ｃの一対の内板２２ｃ１、２２ｃ２（図６参照））にホルダ６６を挟むことで左右方向の移動を規制してもよい。
【００３１】
また、ホルダ６６の開口部を鉛直方向に貫通するように形成し、支持金具４４の鉛直片４４ｂを開口部に挿入させて左右前後方向の移動を規制し、ホルダ６６の溝部を水平方向に形成し、フレーム２２に水平方向に形成したリブを挿入させて上下方向の移動を規制するようにしてもよい。
【００３２】
また、支持金具４４の水平片４４ａまたは鉛直片４４ｂが、ホルダ６６を貫通しており、ホルダ６６の天井面６６ｆまたは側壁内面に接触しているため、ホルダ６６の強度を支持金具４４によって補強することができる。
【００３３】
このように構成された駆動装置においては、ガラス板１２上の操作部３２を操作して、ガイド部３８に沿って上下方向に移動させることにより、操作部３２に磁力によって吸着している従動部３４が上下方向に移動し、これと螺合している伝達軸３６が回転駆動する。伝達軸３６の回転は、これと一体回転するように連結されている第１歯車６２に伝達し、第１歯車６２の回転がこれと噛み合っている第２歯車６４に伝達する。第２歯車の回転は、これと一体回転するように連結されている回転軸２４に伝達するため、回転軸２４が回転駆動し、ラダーテープ２８が傾動してスラット２６が回転する。これにより、スラット２６の傾斜角度を変更することができる。
【００３４】
尚、以上の実施形態では、駆動装置は、スラット２６の傾斜角度を変更するための駆動を行うものとなっていたが、これだけに限るものではなく、ブラインドの任意の動作（例えば昇降）をさせるための駆動装置とすることもできる。
【符号の説明】
【００３５】
１８  スラット
２２  フレーム
２２ａ  上枠
２２ｃ  縦枠
２２ｅ  リブ
２４  回転軸
２８  ラダーテープ
４４  支持金具
６２  第１歯車
６２ｂ  歯車部（駆動ギア）
６４  第２歯車
６４ｂ  歯車部（駆動ギア）
６６  ホルダ
６６ｄ  第１開口部
６６ｅ  第２開口部
６６ｇ  溝部
【図１】
2014037698.tif 000003
【図２】
2014037698.tif 000004
【図３】
2014037698.tif 000005
【図４】
2014037698.tif 000006
【図５】
2014037698.tif 000007
【図６】
2014037698.tif 000008